(57)【要約】【課題】ＤＴＶ装置とＤＴＶ放送信号再生装置を有する電子機器において、ＤＴＶ専用のフォントデータを効率よく管理できる技術の提供を課題とする。【解決手段】ＤＴＶ（デジタルテレビジョン）装置１０又はブルーレイデッキ（デジタルテレビジョン放送信号再生装置）２０のいずれか一方は、デジタルテレビジョン放送信号専用のフォントデータを記憶するフォントデータ記憶手段、及びフォントデータを他方のブルーレイデッキ２０又はＤＴＶ装置１０に転送する転送手段を備え、他方のブルーレイデッキ２０又はＤＴＶ装置１０は、転送されたフォントデータを記憶する転送フォントデータ記憶手段を備える。【選択図】図１
2010118755.tif 000002
【特許請求の範囲】
【請求項１】
デジタルテレビジョン放送信号を受信する受信手段、及び前記デジタルテレビジョン放送信号を表示する表示手段を備えるデジタルテレビジョン装置と、前記デジタルテレビジョン装置に通信線によって接続されると共に、記憶媒体に記憶されている前記デジタルテレビジョン放送信号を再生するデジタルテレビジョン放送信号再生装置と、を備える情報処理システムであって、
前記デジタルテレビジョン装置又は前記デジタルテレビジョン放送信号再生装置のいずれか一方は、前記デジタルテレビジョン放送信号専用のフォントデータを記憶するフォントデータ記憶手段、及び前記フォントデータを他方の前記デジタルテレビジョン放送信号再生装置又は前記デジタルテレビジョン装置に転送する転送手段を備え、
他方の前記デジタルテレビジョン放送信号再生装置又は前記デジタルテレビジョン装置は、前記転送された前記フォントデータを記憶する転送フォントデータ記憶手段を備える情報処理システム。
【請求項２】
前記転送手段は、前記転送手段が属する前記デジタルテレビジョン装置又は前記デジタルテレビジョン放送信号再生装置の起動時に、前記フォントデータを転送する請求項１に記載の情報処理システム。
【請求項３】
前記フォントデータ記憶手段が属する前記デジタルテレビジョン装置又は前記デジタルテレビジョン放送信号再生装置は、前記フォントデータを圧縮する圧縮手段を更に有し、前記転送手段は前記圧縮手段によって圧縮された前記フォントデータを転送する請求項１または２に記載の情報処理システム。
【請求項４】
前記他方のデジタルテレビジョン放送信号再生装置又は前記デジタルテレビジョン装置は、前記フォントデータの更新処理の完了又は未完了を示すフラグを設定する請求項１から３のいずれか一項に記載の情報処理システム。
【請求項５】
前記転送フォントデータ記憶手段は、更新前の前記フォントデータと、更新後の前記フォントデータとを記憶する請求項１から４のいずれか一項に記載の情報処理システム。
【発明の詳細な説明】
【技術分野】
【０００１】
本発明は、デジタルテレビジョン装置及びデジタルテレビジョン放送信号再生装置を有する電子機器に好適な情報処理システムに関する。
【背景技術】
【０００２】
次世代ＤＶＤ（Ｄｉｇｉｔａｌ  Ｖｅｒｓａｔｉｌｅ  Ｄｉｓｃ）であるＢｌｕｅ−ｒａｙ  Ｄｉｓｃ（以下、ＢＤと呼ぶ。）の書き換え可能規格であるＢＤ−ＲＥ（Ｂｌｕ―Ｒａｙ  Ｄｉｓｃ  Ｒｅｗｒｉｔａｂｌｅ）又はＢＤ−Ｒ（Ｂｌｕ―Ｒａｙ  Ｄｉｓｃ  Ｒｅｃｏｒｄａｂｌｅ）は、従来のＤＶＤ―ＶＲ（ＤＶＤ  Ｖｉｄｅｏ  Ｒｅｃｏｒｄｉｎｇ）と違い、ディスク上にＤＴＶ（デジタルテレビジョン）放送信号を記録できる。また、ＢＤ−ＲＥ又はＢＤ−Ｒを再生するブルーレイデッキは、ＢＤ−ＲＥ又はＢＤ―Ｒ上に記録したＤＴＶ放送信号をＤＴＶ装置と同様に処理することができるため、例えば映画の字幕（題名、配役、説明、などを示す文字で表した画面）の表示も可能である。
【０００３】
従来、ブルーレイデッキは、ＢＤ−ＲＥ又はＢＤ−Ｒに記録されているブルーレイ字幕映像をＢＤ規格で使われているフォントデータを利用して表示し、ＤＴＶ放送信号の字幕映像はＤＴＶ専用のフォントデータを利用して行っていた。
【０００４】
このため、例えばナビゲーション装置のように、ＤＴＶ放送信号を再生可能なブルーレイデッキと、ＤＴＶ放送信号を受信して映像表示するＤＴＶ装置とを有する電子機器は、ブルーレイデッキとＤＴＶ装置の両方にＤＴＶ専用のフォントデータを搭載していた。
【特許文献１】特開平１１−２８２８２９号公報
【特許文献２】特開平５−１６４５０号公報
【発明の開示】
【発明が解決しようとする課題】
【０００５】
しかしながら、従来のナビゲーション装置のようにＤＴＶ装置とブルーレイデッキとを有する電子機器は、ＤＴＶ装置とブルーレイデッキとの両方に重複してＤＴＶ専用のフォントデータを搭載していたので、例えばＤＴＶ専用のフォントデータのバージョンアップが行われた場合、ＤＴＶ装置とブルーレイデッキとの両方で別々にバージョンアップ処理を行う必要があり、フォントデータの管理が非効率になるという問題があった。このような問題は、ＤＴＶ装置とＤＴＶ放送信号再生装置との両方を備える電子機器に共通して発生する。
【０００６】
本発明は、このような問題に鑑みなされたもので、ＤＴＶ装置とＤＴＶ放送信号再生装置を有する電子機器において、ＤＴＶ専用のフォントデータを効率よく管理できる技術の提供を課題とする。
【課題を解決するための手段】
【０００７】
本発明は、前記課題を解決するため、以下の手段を採用した。
すなわち、本発明は、デジタルテレビジョン放送信号を受信する受信手段、及び前記デジタルテレビジョン放送信号を表示する表示手段を備えるデジタルテレビジョン装置と、前記デジタルテレビジョン装置に通信線によって接続され、記憶媒体に記憶されている前記デジタルテレビジョン放送信号を再生するデジタルテレビジョン放送信号再生装置と、を備え、前記デジタルテレビジョン装置又は前記デジタルテレビジョン放送信号再生装置のいずれか一方は、前記デジタルテレビジョン放送信号専用のフォントデータを記憶するフォントデータ記憶手段、及び前記フォントデータを他方の前記デジタルテレビジョン放
送信号再生装置又は前記デジタルテレビジョン装置に転送する転送手段を備え、前記他方のデジタルテレビジョン放送信号再生装置又は前記デジタルテレビジョン装置は、前記転送された前記フォントデータを記憶する転送フォントデータ記憶手段を備える。
【０００８】
本発明では、ＤＴＶ装置又はＤＴＶ放送信号再生装置の一方にＤＴＶ専用のフォントデータを搭載し、このフォントデータを他方のＤＴＶ放送信号再生装置又はＤＴＶ装置に転送し、他方のＤＴＶ放送信号再生装置又はＤＴＶ装置は転送されたフォントデータを記憶してＤＴＶ放送信号の字幕表示に使用するので、他方のＤＴＶ放送信号再生装置又はＤＴＶ装置にはＤＴＶ専用のフォントデータを搭載する必要がない。従って、フォントデータのバージョンアップが行われた際に、一方のＤＴＶ装置又はＤＴＶ放送信号再生装置に搭載されているフォントデータのみをバージョンアップすれば済むので、フォントデータの管理を効率よく行うことができる。
【０００９】
ここで、前記転送手段は、前記転送手段が属する前記デジタルテレビジョン装置又は前記デジタルテレビジョン放送信号再生装置の起動時に、前記フォントデータを転送する構成にできる。
【００１０】
また、前記フォントデータ記憶手段が属する前記デジタルテレビジョン装置又は前記デジタルテレビジョン放送信号再生装置は、前記フォントデータを圧縮する圧縮手段を更に有し、前記転送手段は前記圧縮手段によって圧縮された前記フォントデータを転送する構成にできる。この構成によれば、圧縮後のフォントデータのデータ容量が圧縮前に比べて減少するので、フォントデータの転送時間を短縮できる。
【００１１】
また、前記フォントデータは、バージョン番号を含む構成にできる。
また、前記転送フォントデータ記憶手段は不揮発性の記憶手段であり、前記一方のデジタルテレビジョン装置又は前記デジタルテレビジョン放送信号再生装置は、前記フォントデータ記憶手段に記憶されている前記バージョン番号が更新されたときに、前記転送フォントデータ記憶手段に記憶されている前記フォントデータ及び前記バージョン番号を更新するように促すための情報を表示する更新催促情報表示手段を有する構成にできる。
【００１２】
また、前記他方のデジタルテレビジョン放送信号再生装置又は前記デジタルテレビジョン放送信号再生装置は、前記フォントデータの更新処理の完了又は未完了を示すフラグを設定する構成にできる。
また、前記転送フォントデータ記憶手段は、更新前の前記フォントデータ、及び更新後の前記フォントデータを記憶する構成にできる。
【００１３】
また、本発明は、コンピュータが以上のような処理を実行する方法であってもよい。また、本発明は、コンピュータに、以上の機能を提供するプログラムであってもよい。また、本発明は、そのようなプログラムを記録したコンピュータが読み取り可能な記録媒体であってもよい。
【００１４】
ここで、コンピュータが読み取り可能な記録媒体とは、データやプログラム等の情報を電気的、磁気的、光学的、機械的、または化学的作用によって蓄積し、コンピュータから読み取ることができる記録媒体をいう。
【００１５】
このような記録媒体のうちコンピュータから取り外し可能なものとしては、例えばフレキシブルディスク、光磁気ディスク、CD-ROM、CD-R/W、DVD、DAT、８mmテープ、メモリカード等がある。
【００１６】
また、コンピュータに固定された記録媒体としてハードディスクやＲＯＭ（リードオン
リーメモリ）等がある。
【発明の効果】
【００１７】
本発明によれば、ＤＴＶ専用のフォントデータが更新された場合、ＤＴＶ装置又はＤＴＶ放送信号再生装置の何れか一方に搭載されたフォントデータの更新処理を行えば済むので、フォントデータの管理を効率よく行うことができる。
【発明を実施するための最良の形態】
【００１８】
以下、図面を参照して本発明を実施するための最良の形態（以下、実施形態という）に係るフォントデータの共有方法について説明する。以下の実施形態の構成は例示であり、本発明は実施形態の構成には限定されない。
【００１９】
図１は、実施形態に係る情報処理システム１を示す。この情報処理システム１は、ナビゲーション装置１Ａに搭載されたＤＴＶ装置１０と、ＢＥ−ＲＥ又はＢＤ−Ｒに記憶されているＤＴＶ放送信号を再生するＤＴＶ放送信号再生装置であるブルーレイデッキ２０と、を備えている。ＤＴＶ装置１０は、ＤＴＶ放送信号を受信して映像表示する。ＤＴＶ装置１０及びブルーレイデッキ２０は、制御通信線１００によって接続されている。なお、ナビゲーション装置１Ａは、ＤＴＶ装置１０以外に一般的なナビゲーション装置が有する構成要素を備えている（図示せず）。ここでは、ナビゲーション装置１ＡにおけるＤＴＶ装置１０以外の構成要素については、説明を省略する。
【００２０】
ＤＴＶ装置１０及びブルーレイデッキ２０の各構成要素は、それぞれ制御手段（図示せず）によって制御される。これらの制御手段は、それぞれＣＰＵ（Ｃｅｎｔｒａｌ  Ｐｒｏｃｅｓｓｉｎｇ  Ｕｎｉｔ）やＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、入出力インターフェース等で構成されている。各制御手段は、車両のアクセサリー電源がオンになると、ＲＯＭに記録されたコンピュータプログラムを実行し、カードメモリインターフェースに挿入されたメモリカードのデータやＲＡＭに格納されているデータ等を使って各種機能を実現する。
【００２１】
ＤＴＶ装置１０は、図示せぬアンテナを介してＤＴＶ放送信号を受信するデジタルチューナ１１、第１ＤＴＶ処理部１２、字幕用フォントデータをブルーレイデッキ２０に転送するフォントデータ転送処理部１３、字幕用フォントデータを周知の圧縮方式で圧縮するデータ圧縮部１４、ユーザの操作を受け付けるユーザ操作受付部１５、字幕用フォントデータのバージョンアップが必要か否かを判断するフォント更新必要性判断部１６、ユーザに対して字幕用フォントデータをバージョンアップするか否かを確認するための情報、及び字幕用フォントデータのバージョンアップ状況を示す情報を表示するフォント更新確認及び更新状況表示部１７、及びブルーレイデッキ２０の転送フォントデータ記憶部４０に記憶されている字幕用フォントデータのバージョン番号を取得するデッキフォントバージョン取得部１８、ＤＴＶ放送信号を表示する表示部１９を有している。
【００２２】
上記構成要素のうち第１ＤＴＶ処理部１２以外の構成要素は一般的な技術を使用できるので、その詳細な説明を省略する。第１ＤＴＶ処理部１２は、図２に示すように、デジタルチューナ１１が受信したＤＴＶ放送信号に含まれる映像データ、字幕データ、音声データを分配する放送データ分配処理部３２、映像データをデコード（復号）する映像デコーダ部３３、映像の字幕等に使用するＤＴＶ専用のフォントデータ（以下、字幕用フォントデータと呼ぶ。）を記憶するフォントデータ記憶部３４、字幕データを字幕用フォントデータによって描画処理する字幕描画処理部３５、音声データをデコードする音声デコーダ部３６、及び映像と字幕とを重ね合わせる映像重ね合わせ部３７とを有している。
【００２３】
なお、フォントデータ記憶部３４は、書換え可能な不揮発性メモリ、例えばフラッシュ
ＲＯＭで構成されており、字幕用フォントデータのバージョン番号も記憶している。また、フォントデータ転送処理部１３は、字幕用フォントデータ及びバージョン番号を転送し、データ圧縮部１４は字幕用フォントデータ及びバージョン番号を圧縮する。
【００２４】
図１のブルーレイデッキ２０は、ディスク駆動部２１、第２ＤＴＶ処理部２２、データ伸長部２３、フォントデータ更新処理部２４、ＤＴＶ放送信号を表示する表示部２５を有している。なお、表示部２５は、ＤＴＶ装置１０の表示部１９を兼用できる。ディスク駆動部２１は、ブルーレイディスク（図示せず）を回転駆動し、ブルーレイディスクに記録されているＤＴＶ放送信号をピックアップする。
【００２５】
第２ＤＴＶ処理部２２については、後述する。データ伸長部２３は、圧縮されている字幕用フォントデータを伸長する。フォントデータ更新処理部２４は、転送フォントデータ記憶部４０に記憶されているフォントデータを更新（バージョンアップ）する。
【００２６】
図３は、ブルーレイデッキ２０の第２ＤＴＶ処理部２２を示す。なお、第２ＤＴＶ処理部２２の構成要素のうち転送フォントデータ記憶部４０以外の構成要素は、図２に示す第１ＤＴＶ処理部１２と同一であるので、同一の構成要素には同一の符号をつけて詳細な説明を省略する。転送フォントデータ記憶部４０は、ＤＴＶ装置１０のデータ圧縮部１４から転送された字幕用フォントデータ及びバージョン番号を記憶する。本実施形態では、転送フォントデータ記憶部４０は書換え可能な不揮発性のメモリ、例えばフラッシュＲＯＭを備えている。
【００２７】
この情報処理システム１は、ＤＴＶ装置１０とブルーレイデッキ２０の何れか一方、本実施形態ではＤＴＶ装置１０のフォントデータ記憶部３４に字幕用フォントデータを記憶し、この字幕用フォントデータをブルーレイデッキ２０側に転送する。
【００２８】
ここで、フォントデータを３００Ｋｂｙｔｅ、制御通信線１００の転送レートを平均６０Ｋｂｙｔｅとした場合、フォントデータの転送時間は約４０秒となる。ここで、ブルーレイデッキ２０の電源投入時ごとにフォントデータを転送すると、ＤＴＶ放送信号の字幕表示が転送時間分だけ遅れる。そこで、フォントデータの圧縮・伸張処理を行うことにより、フォントデータの転送時間を短縮できる。
【００２９】
このように、ＤＴＶ装置１０からブルーレイデッキ２０にフォントデータを転送することにより、ブルーレイデッキ２０は、ＢＤ−ＲＥ又はＢＤ−Ｒに記憶されているＤＴＶ放送信号の字幕付き映像の字幕を字幕用フォントデータによって表示できる。この字幕用フォントデータをバージョンアップするときには、次に説明するように、ＤＴＶ装置１０側の字幕用フォントデータのみバージョンアップし、ブルーレイデッキ２０側ではバージョンアップする必要がないので、字幕用フォントデータの管理が容易になる。
【００３０】
図４は、情報処理システム１における字幕用フォントデータのバージョンアップ処理を示すフォローチャートである。ここでは、まず、ナビゲーション装置１Ａ及びブルーレイデッキ２０の電源がオンになると、ＤＴＶ装置１０のフォント更新必要性判断部１６は、ＤＴＶ装置１０のフォントデータ記憶部３４、及びブルーレイデッキ２０の転送フォントデータ記憶部４０にそれぞれ記憶されている字幕用フォントデータのバージョン番号を取得する（Ｓ１）。
【００３１】
次に、フォント更新必要性判断部１６は、ブルーレイデッキ２０の転送フォントデータ記憶部４０に記憶されている字幕用フォントデータのバージョン番号は有効か否か、すなわち、転送フォントデータ記憶部４０に字幕用フォントデータが記憶されているか否かを判断する（Ｓ２）。ステップ（Ｓ２）で、フォント更新必要性判断部１６が字幕用フォン
トデータのバージョン番号は有効である、すなわち、転送フォントデータ記憶部４０に字幕用フォントデータが記憶されていると判断した場合（ｙｅｓ）は、次に、フォント更新必要性判断部１６は、ＤＴＶ装置１０側の字幕用フォントデータのバージョン番号と、ブルーレイデッキ２０側の字幕用フォントデータのバージョン番号が同じか否かを判断する（Ｓ３）、
【００３２】
ステップ（Ｓ３）で、フォント更新必要性判断部１６が両方のバージョン番号は同じであると判断した場合（ｙｅｓ）は、次に、通常動作へ移行する。また、ステップ（Ｓ３）で、フォント更新必要性判断部１６が両方のバージョン番号は同じでないと判断した場合（ｎｏ）は、次に、フォント更新確認及び更新状況表示部１７は、字幕用フォントデータの更新（バージョンアップ）をするか否かを問い合わせる情報を表示する（Ｓ４）。
【００３３】
次に、フォント更新必要性判断部１６は、ユーザ操作受付部１５がユーザによるバージョンアップの指示（例えば、ディスプレイにおける押しボタンの操作）を受け付けたか否かを判断する（Ｓ５）。ステップ（Ｓ５）で、フォント更新必要性判断部１６がバージョンアップの指示を受け付けたと判断した場合（ｙｅｓ）は、次に、フォントデータ転送処理部１３は、ＤＴＶ装置１０の第１ＤＴＶ処理部１２におけるフォントデータ記憶部３４に記憶されている字幕用フォントデータを、データ圧縮部１４で圧縮して、ブルーレイデッキ２０のデータ伸長部２３に対して転送を開始する（Ｓ６）。フォントデータの転送中は、転送処理が行われていることを示す情報、及び転送完了までの残時間の目安となる情報を表示することができる。
【００３４】
次に、フォントデータ転送処理部１３は、転送完了までの残時間を表示する（Ｓ７）。次に、フォントデータ転送処理部１３は、字幕用フォントデータの転送が完了したか否かを判断する（Ｓ８）。ステップ（Ｓ８）でフォントデータ転送処理部１３が、転送を完了したと判断した場合（ｙｅｓ）は、次に、ブルーレイデッキ２０のフォントデータ更新処理部２４は、データ伸長部２３で伸長された字幕用フォントデータを、転送フォントデータ記憶部４０に記憶されている字幕用フォントデータに上書きし、バージョン番号を変更する（Ｓ９）。次に、ＤＶＴ装置１０のフォント更新確認及び更新状況表示部１７は、ユーザに対する字幕用フォントデータの転送を完了した旨の情報を表示し（Ｓ１０）、通常動作へ移行する。
【００３５】
また、ステップ（Ｓ５）で、フォント更新必要性判断部１６が、バージョンアップの指示を受け付けていないと判断した場合（ｎｏ）は、次に、通常動作へ移行する。また、ステップ（Ｓ８）でフォントデータ転送処理部１３が、転送を完了していないと判断した場合（ｎｏ）は、次に、ステップ（Ｓ７）以降の処理を行う。
【００３６】
また、ステップ（Ｓ２）で、フォント更新必要性判断部１６が字幕用フォントデータのバージョン番号は有効でない（無効）、すなわち、転送フォントデータ記憶部４０に字幕用フォントデータが記憶されていないと判断した場合（ｎｏ）は、次に、フォント更新確認及び更新状況表示部１７は、ユーザに対して字幕用フォントデータをブルーレイデッキ２０側に転送することが必要である旨の情報を表示する（Ｓ１１）。次に、ステップ（Ｓ６）以降の処理を行う。
【００３７】
本発明によれば、ＤＴＶ装置１０がＤＴＶ放送信号専用のフォントデータを記憶し、このＤＴＶ装置１０がブルーレイデッキ２０にフォントデータを転送し、ブルーレイデッキ２０が転送されたフォントデータを記憶する。これにより、ブルーレイデッキ２０はＢＤ−Ｒ又はＢＤ−ＲＥに記憶されているＤＴＶ放送信号の字幕表示が可能になる。従って、ブルーレイデッキ２０はフォントデータを搭載する必要がない。また、ＤＴＶ放送信号専用のフォントデータがバージョンアップされた場合には、ＤＴＶ装置１０のフォントデー
タ記憶部３４に記憶されているフォントデータをバージョンアップすれば済むので、フォントデータの管理が容易になる。
【００３８】
なお、上記実施例では、ユーザの更新指示に基づき、フォントデータを転送するようにしたが、自動的に行ってもより。すなわち、ブルーレイデッキ２０を車両に取り付けた後の初回電源投入時に、ＤＴＶ装置１０からブルーレイデッキ２０にフォントデータを一度転送し、以降はＤＴＶ装置１０側のフォントデータの更新が行われたときのみ転送を自動的に行うことができる。
【００３９】
また、この場合、或いは前記の実施例の場合は、転送フォントデータ記憶部４０に記憶されているフォントデータの更新完了又は更新未完了を示すフラグを設定することができる。これにより、転送フォントデータ記憶部４０に記憶されているフォントデータの更新（バージョンアップ）処理が行われている途中で、何らかの原因でＤＴＶ装置１０又はブルーレイデッキ２０の一方又は両方の電源がＯＦＦになって更新処理が未完了の場合、次に両方の電源がＯＮになった時にフォントデータの更新処理を完了させることができる。
【００４０】
図５は、転送フォントデータ記憶部４０の不揮発性メモリに記憶されているフォントデータの更新途中でＤＴＶ装置１０又はブルーレイデッキ２０の少なくとも一方の電源がＯＦＦになった場合に、次に両方の電源がＯＮになったときにフォントデータの更新処理を行う際のタイミングチャートを示す。ここでは、ブルーレイデッキ２０の転送フォントデータ記憶部４０に記憶されているフォントデータの更新を開始するときにフラグＦをクリアして更新未完了に設定し、更新が完了した場合はフラグＦをセットして更新完了に設定する。従って、更新が途中で終了した場合はフラグＦは更新未完了に設定されていることになる。
【００４１】
そして、ＤＴＶ装置１０のフォント更新必要性判断部１６がフォント更新の必要性があると判断した場合は、フォント更新必要性判断部１６はフォントデータ転送処理部１３に転送指示（更新指示）を送る。この転送指示を受けて、フォントデータ転送処理部１３は、フォントデータの転送を開始する。
【００４２】
ブルーレイデッキ２０のフォントデータ更新処理部２４は、転送されたフォントデータを転送フォントデータ記憶部４０に記憶されている更新前のフォントデータに上書きすることによりフォントデータを更新する。また、フォントデータ更新処理部２４は既に設定されているフラグＦをクリアして、更新が未完了であることを設定する。
【００４３】
フォントデータ更新処理部２４がフォントデータの更新を行っている途中でＤＴＶ装置１０又はブルーレイデッキ２０の一方又は両方の電源がＯＦＦになった場合は、フォントデータ更新処理部２４は、フラグＦは未完了に設定されたままである。これにより、転送フォントデータ記憶部４０に記憶されているフォントデータの更新が未完了であることがわかる。フォントデータが完全に更新された場合は、フラグＦを完了に設定する。
【００４４】
次に、両方の電源がＯＮになったとき、フォント更新必要性判断部１６はフラグＦが完了又は未完了のいずれに設定されているかを判断する。フラグＦが未完了に設定されている場合は、フォント更新必要性判断部１６は、上記更新処理と同様にフォントデータ転送処理部１３に転送指示を送る。この転送指示を受けて、フォントデータ転送処理部１３は、フォントデータの転送を開始する。
【００４５】
ブルーレイデッキ２０のフォントデータ更新処理部２４は、転送されたフォントデータを転送フォントデータ記憶部４０に記憶されている更新前のフォントデータに上書きすることによりフォントデータを更新する。また、フォントデータ更新処理部２４は、既に設
定されているフラグＦをクリアする。次に、フォントデータ更新処理部２４は、転送フォントデータ記憶部４０に記憶されているフォントデータが、転送を受けたフォントデータによって完全に上書きされた場合はフラグＦを完了に設定する。
【００４６】
このように、書換え可能な不揮発性メモリにフォントデータを記憶する場合、フォントデータの転送処理をブルーレイデッキ２０の初回電源投入時、及びフォントデータの更新時だけに行うことができるので、フォントデータの圧縮及び伸長処理を行っても転送時間は実用上十分に短くできる。
【００４７】
また、転送フォントデータ記憶部４０が不揮発性のメモリの場合は、転送フォントデータ記憶部４０にフォントデータの記録領域を２つ設けることができる。この場合は、一方の記憶領域に更新直前のフォントデータを記憶し、他方の記憶領域に更新したフォントデータを記憶する。これにより、更新によるメモリアクセスは常に一方の更新したフォントデータが記憶されている記憶領域だけに行い、フォントデータの更新中に電源が切れた場合でも、他方の記憶領域に記憶されている更新直前のフォントデータを使用できる。
【００４８】
なお、本実施形態では、ＤＴＶ装置１０に記憶されている字幕用フォントデータをブルーレイデッキ２０に転送する場合について説明したが、本発明はブルーレイデッキ２０に字幕用フォントデータを記憶し、ブルーレイデッキ２０からＤＴＶ装置１０に字幕用フォントデータを転送する場合にも適用できる。また、前記実施例では転送フォントデータ記憶部４０として書換え可能な不揮発性メモリを例にとり説明したが、揮発性メモリ（ＲＡＭ）としてもよい。この場合、ブルーレイデッキ２０の電源をオフにすると、ＲＡＭに記憶されているフォントデータが消去されるため、ＤＴＶ装置１０の電源投入毎に自動的にＤＴＶ装置１０からブルーレイデッキ２０にフォントデータを転送する。その際は、データを圧縮して転送することが望ましい。このときの処理としては、図４においてステップ（Ｓ１）〜（Ｓ５），（Ｓ１１）を削除し、電源ボタンがオンになるとステップ（Ｓ６）から始まるようにすればよい。
【図面の簡単な説明】
【００４９】
【図１】本発明の実施形態に係る情報処理システムを示すブロック図である。
【図２】本発明の実施形態に係るＤＴＶ装置の第１ＤＴＶ処理部を示すブロック図である。
【図３】本発明の実施形態に係るブルーレイデッキの第２ＤＴＶ処理部を示すブロック図である。
【図４】本発明の実施形態に係るフォントデータの転送処理を示すフローチャートである。
【図５】本発明の別の実施形態に係るフォントデータの更新処理状態を示すフラグの設定処理を示すタイミングチャートである。
【符号の説明】
【００５０】
１  情報処理システム
１Ａ  ナビゲーション装置
１０  ＤＴＶ（デジタルテレビジョン）装置
１１  デジタルチューナ
１２  第１ＤＴＶ処理部
１３  フォントデータ転送処理部
１４  データ圧縮部
１５  ユーザ操作受付部
１６  フォント更新必要性判断部
１７  フォント更新確認及び更新状況表示部
１８  デッキフォントバージョン取得部
１９  表示部
２０  ブルーレイデッキ（デジタルテレビジョン放送信号再生装置）
２１  ディスク駆動部
２２  第２ＤＴＶ処理部
２３  データ伸長部
２４  フォントデータ更新処理部
２５  表示部
３２  放送データ分配処理部
３３  映像デコーダ部
３４  フォントデータ記憶部
３５  字幕描画処理部
３６  音声デコーダ部
３７  映像重ね合わせ部
４０  転送フォントデータ記憶部
１００  制御通信線
【図１】
2010118755.tif 000003
【図２】
2010118755.tif 000004
【図３】
2010118755.tif 000005
【図４】
2010118755.tif 000006
【図５】
2010118755.tif 000007